(57)【要約】【課題】構造的に簡便であり、のぼりや旗などが掛け止されたポールを直置式のコンクリートなどで製造されたポール支持台に容易に着脱できるメッセージスタンドを提供すること。【解決手段】各種ポール１１を立設するポール支持台１２表面に着脱可能に取付けられる角錐状の箱体のメッセージスタンド１であって、上面を平坦面とし、下面を開口した角錐状箱体２と、平坦面を構成する天板２１に穿設されたポール挿通孔２２と、角錐状箱体２の外形を構成する側板２３の下端縁２４に、下端縁２４を中心として折曲自在に設けられた対向関係にある底板５とより構成した。【選択図】図１
2010134339.tif 000002
【特許請求の範囲】
【請求項１】
各種ポールを立設するポール支持台表面に被覆自在に取付けられる角錐状箱体のメッセージスタンドであって、
上面を平坦面とし、下面を開口した角錐状箱体と、
前記平坦面を構成する天板に穿設されたポール挿通孔と、
前記角錐状箱体の外形を構成する側板の下端縁に、下端縁を中心として折曲自在に設けられた対向関係にある底板と
より構成したことを特徴とするメッセージスタンド。
【請求項２】
請求項１に記載のメッセージスタンドにおいて、
前記底板を、前記各下端縁に複数設けたことを特徴とするメッセージスタンド。
【請求項３】
請求項１に記載のメッセージスタンドにおいて、
前記底板を折り畳み可能に設けたことを特徴とするメッセージスタンド。
【請求項４】
請求項１に記載のメッセージスタンドにおいて、
前記底板に、突起部を取付可能としたことを特徴とするメッセージスタンド。
【請求項５】
請求項１乃至４のいずれか１つに記載のメッセージスタンドにおいて、
前記角錐状箱体の内部に、水タンクを設けたことを特徴とするメッセージスタンド。
【請求項６】
請求項５に記載のメッセージスタンドにおいて、
前記水タンクは、可撓性材料で形成したことを特徴とするメッセージスタンド。
【発明の詳細な説明】
【技術分野】
【０００１】
本発明は、店先、会社先等で使用される各種ポールを立設するポール支持台に被覆自在に取付けられる角錐状箱体の広告媒体であるメッセージスタンドに関する。
【背景技術】
【０００２】
従来より、店先などで広告や宣伝を行う際に使用される媒体として、のぼり、旗、看板などが存在する。のぼり、旗などの広告宣伝媒体は、一般的にポールに掛け止めされており、このポールは直置式のコンクリートなどで製造されたポール支持台に差込支持された構造なっている。
【０００３】
しかしながら、ポール支持台を使用すると、そのポール支持台自体が目立つことがあり、広告・宣伝効果が希薄化するおそれがあり、二股状に下方を拡開した側面視略Ａ字状の看板などは、構造的に複雑化するおそれがある。
【０００４】
そこで、店先などで広告や宣伝を行う際に使用される媒体としては、のぼりや旗などの広告宣伝媒体と、看板などの広告宣伝媒体とを支持部分を目立させずに安定して所望設置場所に直置できる構造簡単な広告用具が知られている（例えば、特許文献１参照。）。
【特許文献１】実公平７−３４４５９号公報
【発明の開示】
【発明が解決しようとする課題】
【０００５】
しかしながら、特許文献１に記載された広告用具は、未だ構造的に複雑であり、のぼり、旗などが掛け止されたポールが差込支持されたポール支持台に広告用具を覆設する際にも、その着脱手順が複雑であった。
【０００６】
よって、本発明が解決しようとする課題は、構造的に簡便であり、のぼり、旗などが掛け止されたポールを直置式のコンクリートなどで製造されたポール支持台に容易に着脱できるメッセージスタンドを提供することにある。
【課題を解決するための手段】
【０００７】
そこで、請求項１に係る本発明では、各種ポールを立設するポール支持台表面に被覆自在に取付けられる角錐状箱体のメッセージスタンドであって、上面を平坦面とし、下面を開口した角錐状箱体と、平坦面を構成する天板に穿設されたポール挿通孔と、角錐状箱体の外形を構成する側板の下端縁に、下端縁を中心として折曲自在に設けられた対向関係にある底板とより構成したことを特徴とする。
【０００８】
また、請求項２に係る本発明では、請求項１に記載のメッセージスタンドにおいて、底板を、各下端縁に複数設けたことを特徴とする。
【０００９】
また、請求項３に係る本発明では、請求項１に記載のメッセージスタンドにおいて、底板を折り畳み可能に設けたことを特徴とする。
【００１０】
また、請求項４に係る本発明では、請求項１に記載のメッセージスタンドにおいて、底板に、突起部を取付可能としたことを特徴とする。
【００１１】
また、請求項５に係る本発明では、請求項１乃至４のいずれか１つに記載のメッセージスタンドにおいて、角錐状箱体の内部に、水タンクを設けたことを特徴とする。
【００１２】
また、請求項６に係る本発明では、請求項５に記載のメッセージスタンドにおいて、水タンクは、可撓性材料で形成したことを特徴とする。
【発明の効果】
【００１３】
請求項１記載の本発明によれば、メッセージスタンドは、上面を平坦面とし、下面を開口した角錐状箱体と、平坦面を構成する天板に穿設されたポール挿通孔と、角錐状箱体の外形を構成する側板の下端縁に、下端縁を中心として折曲自在に設けられた対向関係にある底板とより構成されているので、既存のポール支持台を重しとして用いることができ、風圧などによりメッセージスタンドが転倒することを防止してメッセージスタンドを安定して設置することができる。しかもメッセージスタンドに折曲自在に設けられた対向関係にある底板を、順番に折曲させて、ポール支持台の下に敷いたり、外したりすることにより、その着脱を極めて容易に行うことができる。
【００１４】
請求項２記載の本発明によれば、請求項１に記載のメッセージスタンドにおいて、底板を、各下端縁に複数設けたことから、底板の枚数を左右で異ならせて高さを調整することにより、メッセージスタンドを傾斜地に設置する場合であっても、平行に設置することができる。
【００１５】
請求項３記載の本発明によれば、請求項１に記載のメッセージスタンドにおいて、底板を折り畳み可能に設けたことから、左右で異ならせて底板を折り畳むことで高さを調整することにより、メッセージスタンドを傾斜地に設置する場合であっても、平行に設置することができる。
【００１６】
請求項４記載の本発明によれば、請求項１に記載のメッセージスタンドにおいて、底板に、突起部を取付可能に設けたことから、メッセージスタンドを傾斜地に設置する場合であっても、平行に設置することができる。また、突起部を重合可能とすれば、突起部の個数を左右で異ならせて底板設けることで高さを調整することができる。
【００１７】
請求項５記載の本発明によれば、請求項１乃至４のいずれか１つに記載のメッセージスタンドにおいて、角錐状箱体の内部に、水タンクを設けたことから、その水タンクに注水することにより、ポール支持台の重量に加えて、更にメッセージスタンドの重量を重くすることができ、メッセージスタンドを安定して設置することができる。
【００１８】
請求項６記載の本発明によれば、請求項５に記載のメッセージスタンドにおいて、水タンクは、可撓性材料で形成したことから、その水タンクに注水することにより、水タンクに注入された水がポール支持台の周囲にまで充填されることから、メッセージスタンドの重心位置が低くなり、メッセージスタンドをより安定して設置することができる。
【発明を実施するための最良の形態】
【００１９】
〔１．第１実施形態のメッセージスタンド〕
以下に、本発明の第１実施形態について図面を参照しながら説明する。図１は、メッセージスタンドの全体斜視図であり、図２は、メッセージスタンドの底板の説明図であり、図３は、メッセージスタンドの底板の説明図であり、図４は、メッセージスタンドの底板の説明図であり、図５は、メッセージスタンドの底板の説明図であり、図６は、底板の代わりにベルトを用いた場合のメッセージスタンドの説明図である。
【００２０】
〔１．１．メッセージスタンド１の基本構造〕
本発明の第１実施形態に係るメッセージスタンド１は、各種ポール１１を立設する所定形状のポール支持台１２表面に被覆自在に取付け可能としており、広告や宣伝または標識が印刷された粘着シートなどが貼着されて、広告や宣伝または標識用のスタンドとして用いられるものである。
【００２１】
このメッセージスタンド１は、図１と図２に示すように、上面を平坦面とし、下面を開口した角錐状箱体２と、平坦面を構成する天板２１に穿設されたポール挿通孔２２と、角錐状箱体２の側面を構成する側板２３の下端縁２４に、下端縁２４を中心として折曲自在に設けられた対向関係にある一対の底板５とより構成されており、ポール支持台１２を被膜し、その後一対の底板５を順番に折曲させてポール支持台１２の下に敷くことでてポール支持台１２に取付け可能としている。
【００２２】
かかる構成とすることにより、メッセージスタンド１は、ポール支持台１２を収納して重量化を図り、風圧などによる転倒を防止して安定して設置でき、しかも、スタンド内に重石を収容するもの（例えば、特開２００７−３２７１９９号公報参照）に比べて、構造が簡単で、ポール支持台１２の装着や取り外しを極めて容易に行うことができる。しかも、メッセージスタンド１は、下面を開口していることから雨水等が溜まったままとなることで発生する腐臭なども抑制できる。
【００２３】
ポール１１は、のぼり、旗などの広告宣伝媒体が取付けられる棒状のポールであり、例えば、断面形状が円や四角などがあり、ポール自体が中空或いは中実に形成されている。
【００２４】
また、ポール支持台１２は、図１と図２に示すように、市販のコンクリートで製造されたポール支持台を用いる。このポール支持台１２は、角錐状で、その上部が平坦な断面視略台形のブロックにパイプ１３を貫通した構成を有しており、一般に広く用いられているものである。また、市販されているポール支持台には、注水式のポール支持台や鉄製のポール支持台などもあり、これらを用いることも可能である。
【００２５】
従って、すでに市販品のポール支持台を使用している場合には、メッセージスタンド１を用意するだけで、宣伝広告効果を増大させることが可能となる。すなわち、メッセージスタンド１は、ポール支持台１２にポール１１を挿入するためのポール挿通孔２２を有していることから、のぼり、旗などを掛け止めしたポール１１を用いることができ、従来の宣伝広告効果を維持しつつも、広告や宣伝を表示したメッセージスタンド１と相俟って宣伝広告効果を増大させることができるのである。
【００２６】
特に、市販のコンクリート製のポール支持台ではコンクリートがむき出しとなっていることから美観を損ねて広告宣伝効果が低減していたが、メッセージスタンド１を用いることにより美観の観点も向上することができ、宣伝広告効果を増大させることができる。
【００２７】
なお、ポール１１に代えて、花などの植物をポール挿通孔２２を介してポール支持台１２のパイプに挿入することにより、メッセージスタンド１を室内用途として用いることもできる。
【００２８】
〔１．２．メッセージスタンド１の使用方法及び使用形態〕
次に、本発明の第１実施形態にかかるメッセージスタンド１の使用方法及び使用形態について説明する。
【００２９】
まず、メッセージスタンド１の側板２３の下端縁２４に折曲げ自在に設けられた底板５を角錐状箱体２の外方に折曲した展開状態で、下方の開口部からメッセージスタンド１をポール支持台１２上に被覆する（図２（ａ）参照）。
【００３０】
次に、ポール支持台１２に突設されたパイプ１３の孔部に、ポール１１の下部をパイプ１３内に挿通することによって、ポール１１をポール支持台１２に取付ける。
【００３１】
次に、ポール支持台１２に取付けたポール１１を手で把持してポール支持台１２を側方に傾けると、下部の角錐状箱体２もポール支持台１２と共に傾き、その側板２３に連設された底板５は、自重により下方に折曲垂下して地上面Ｇとポール支持台１２との間に介在することになる。この状態で、ポール支持台１２を地上面Ｇに載置すると、垂下した底板５は内方へ折曲されて、ポール支持台１２底面と地上面Ｇとの間に敷設された状態となる。なお、自重により下方に折曲垂下しない底板５を用いる場合には、下端縁２４を中心に底板を手で折り曲げてから地上面Ｇとポール支持台１２との間に介在させる。
【００３２】
他方、対向側の底板５についても、ポール支持台１２を上記と反対側に傾動して底板５を地上面Ｇとの間で折曲垂下状態とし、そのままポール支持台１２をもとに戻して地上面Ｇに載置する動作をすれば、対向位置の底板５もポール支持台１２底面と地上面Ｇとの間に敷設された状態となり、特にポール支持台１２を地上面Ｇより持上げて底板５を内側へ折曲操作をする必要もなく、単にポール支持台１２及びそれに被覆した角錐状箱体２を一方に地上面Ｇで傾動するのみで底板５の折曲敷設作業が行える。
【００３３】
このように、メッセージスタンド１は、折曲自在に連設した底板５を、順番に折曲げて、ポール支持台１２の下に敷いたり、外したりすることができる。
【００３４】
かかる構成とすることにより、メッセージスタンド１は、折曲自在に設けられた対向関係にある底板５を、順番に折曲させて、ポール支持台１２の下に敷いたり、外したりすることにより、ポール支持台１２に容易に着脱することができる。
【００３５】
〔１．３．メッセージスタンド１の各構成要素〕
以下に、本発明の第１実施形態にかかるメッセージスタンド１の各構成要素について説明する。
【００３６】
〔１．３．１．角錐状箱体２〕
まず、角錐状箱体２について説明する。角錐状箱体２は、メッセージスタンド１の本体部を構成する角錐状の箱体であり、上部の平坦面が天板２１で形成され、天板２１の各辺から斜め下方に立設した４つの側板２３で構成されており、この天板２１と、４つの側板２３とが一体成形されていることにより角錐状の箱体を形成している。
【００３７】
かかる構成により、角錐状箱体２は、図１と図２に示すように、内部に断面視略台形の内空間Ｑを形成し、ポール支持台１２を収容可能としている。また、内空間Ｑの形状を角錐状とすることで、市販のコンクリート製のポール支持台１２と同様の形状とし、その装着を容易にすることができ、しかも、ポール支持台１２を角錐状箱体２内に収納したときにポール支持台１２と角錐状箱体２との位置関係を規制することができ、ポール支持台１２を安定して角錐状箱体２内に収納できる。
【００３８】
角錐状箱体２の天板２１は、その形状が平面視四角形の板材であり、天板２１の略中央には、ポール１１を挿通するためのポール挿通孔２２が穿設されている。このポール挿通孔２２は、ポール１１を挿通するための孔部であり、その形状は、挿通するポール１１の断面形状にもよるが、円形や四角形である。なお、パイプ１３の外径よりもポール挿通孔２２を大きくしており、これにより、パイプ１３が長い場合であっても、メッセージスタンド１をポール支持台１２に被覆（装着）可能としている。
【００３９】
角錐状箱体２の側板２３は、角錐状箱体２の側面を構成する板材であり、その形状は、正面視略台形で、傾斜状に形成されており、四側面を４枚の側板２３により構成すると全体が角錐状となる。なお、本実施形態においては、四角錐状としているが、六角錐状、八角錐状などとすることもできる。
【００４０】
角錐状箱体２は、上記のように、天板２１や側板２３を組み合わせて形成することもできるが、金型を用いて天板２１と側板２３とを一体成形することにより形成することにより製造コストを低減することができる。なお、角錐状箱体２の材質は、例えば、アクリロニトリルブタジエンスチレン共重合合成樹脂（ＡＢＳ樹脂）やポリプロピレン樹脂（ＰＰ樹脂）などの合成樹脂を用いることができるし、例えば、アルミやステンレスなどの金属を用いることもできる。
【００４１】
〔１．３．２．底板５の形状について〕
次に、底板５について説明する。底板５は、メッセージスタンド１の本体部である角錐状箱体２の一対の側板２３の各下端縁２４にそれぞれ連設されており、下端縁２４の連設縁部を中心に折曲自在としている。
【００４２】
底板５の形状は、ポール支持台１２との接触面積を可及的に大きくするために平面視略四角形とした平板としている。
【００４３】
また、底板５の接地面は、すべり止め（例えば、微細な凹凸にする。）が形成されている。このようにすることで、地上面Ｇからのメッセージスタンド１の移動を規制することができる。このすべり止めは、ポール支持台１２底面との当接面にも形成して、メッセージスタンド１とポール支持台１２との位置関係を規制するようにしてもよい。
【００４４】
また、底板５の種類には、メッセージスタンド１の設置する場所の傾斜にかかわらず、まっすぐ平行に設置するための工夫が施された底板を用いることもできる。以下、図３〜図６，図１０を参照して、角錐状箱体２を構成する側板２３の下端縁２４に、下端縁２４を中心として折曲自在に設けられる様々な種類の底板５ａ、底板５０ａ、５００ａ、底板５ｂ、底板５ｃについて、図面を参照しながらそれぞれ説明する。
【００４５】
（底板５ａ）
底板５ａは、図３（ａ）や図３（ｂ）に示すように、断面視先細状に形成した断面視略三角形の板材であり、対向関係にある一対の側板２３の下端縁２４にそれぞれ複数設けられている。そして、ポール支持台１２の底面に敷設する底板５ａの枚数を左右で異ならせて底板５ａの全体厚みを変化させることにより、高さを調整することができ、メッセージスタンド１を傾斜地に設置する場合であっても、平行に設置することができる。例えば、図３（ｂ）に示すように、地上面Ｇの傾斜面の下手側にて底板５ａを複数重ねて敷設し、地上面Ｇの傾斜面の上手側では内空間Ｑ内に底板５ａを折り込むようにすることで、メッセージスタンド１を平行に設置することができる。
【００４６】
なお、図３（ａ）や図３（ｂ）において、底板５ａは２枚ずつ設けているが、３枚以上ずつ設けることもでき、かかる構成により急な傾斜面にも設置することが可能となる。また、一方の下端縁２４は底板５ａを１枚とし、他方の下端縁２４は２枚以上とするようにしてもよく、かかる構成により製造コストを低減することができる。また、ポール支持台１２の底面に敷設したときに地上面Ｇに接触する底板５ａのみを平板にしてもよい。かかる構成により、平地に設置するときには、平板の底板５ａのみを用い、残りは内空間Ｑ内に収納することができ、平地面での設置を安定させることができる。
【００４７】
（底板５０ａ，５００ａ）
また、底板を複数枚重ねて設ける底板５ａの他の形態として底板５に加え、底板５０ａ，５００ａを着脱自在に設けるようにすることでもできる。図１０は、底板５ａの他の形態である底板５０ａ，５００ａの説明図である。
【００４８】
底板５０ａ，５００ａは、図１０（ａ）や図１０（ｂ）に示すように、平面視略四角形で断面視長方形状の本体部と、本体部から肉薄に延在させたヒンジ部とから構成されており、側板２３の下端縁２４近傍に凹状に形成された差込溝部２４ａにヒンジ部先端を嵌着固定することにより、折曲自在に取付けられる。なお、差込溝部２４ａは、内空間Ｑ側や角錐状箱体２の外側に形成することもできるが、側板２３の下端縁２４において下方開口状に形成することが望ましい。
【００４９】
底板５０ａと底板５００ａとの基本的な構成は、上記のように、同一であるが、底板５０ａと底板５００ａとは厚さが異なる。よって、厚さの異なる底板５０ａと底板５００ａとを適宜組み合わせて使用することにより、メッセージスタンド１を設置する傾斜地の傾斜角度に対応させることができ、メッセージスタンド１を平行に設置することができる。
【００５０】
また、底板５０ａ，５００ａは、取付自在に設けられていることから、底板５０ａ，５００ａを使用しない場合には取り外しておくことで、メッセージスタンド１の外形がシンプルになり、意匠性を向上させることができる。
【００５１】
さらに、底板５０ａ，５００ａを断面視長方形状ではなく、図３（ａ），（ｂ）に示すように、断面視先細状にすることで、傾斜に対する平行設置が容易になる。
【００５２】
（底板５ｂ）
底板５ｂは、底板５ａ，５０ａ，５００ａのように複数枚設けることなく、一枚の高さ調整を行うことができるようにした底板である。
【００５３】
底板５ｂは、図４（ａ）や図４（ｂ）に示すように、一対の側板２３の下端縁２４に連設され、かつ折り畳み可能に構成されており、高さ方向に対する厚みを変えることができるようにしている。
【００５４】
例えば、地上面Ｇの傾斜面の下手側にて、底板５ｂを折曲し重ねて設ける際には、図４（ｂ）に示すように、折曲自在に形成された一方の底板５ｂを交互に折り曲げて、嵌合突起５１を嵌合凹部５２に嵌着することにより、一方の底板５ｂの全体厚みを変化させて高さの調整を行う。一方で、地上面Ｇの傾斜面の上手側では、他方の底板５ｂを交互に折曲することなくまっすぐな状態で内空間Ｑ内に折り込む。
【００５５】
嵌合突起５１は、底板５ｂに突設した円柱状の突起であり、また、嵌合凹部５２は、底板５ｂに穿設した円柱状の穴である。また、底板５ｂを折曲し重ねて設ける際、嵌合突起５１や嵌合凹部５２を用いずに、単に重ねるだけで底板５ｂの全体厚みを変化させて高さの調整を行ってもよい。
【００５６】
（底板５ｃ）
底板５ｃは、底板５ａ，５０ａ，５００ａのように複数枚設けることなく、突起部を取り付け可能にして高さ調整を行うことができるようにした底板である。
【００５７】
底板５ｃは、図５（ａ）や図５（ｂ）に示すように、平面視略四角形状であり、底板５ｃの底面には、連結凹部５７が形成され、その連結凹部５７に突起部５５が連結されて突出することから、突起部５５の個数或いは高さを左右で異ならせることにより、高さを調整することができる。このように、底板５ｃの突起部５５により、メッセージスタンド１を傾斜地に設置する場合であっても、平行に設置することができる。
【００５８】
例えば、地上面Ｇの傾斜面の下手側にて、底板５ｃに突起部５５を複数個設ける際には、図５（ｂ）に示すように、突起部５５の連結突起５６を連結凹部５７に嵌着することにより、連結する。一方で、地上面Ｇの傾斜面の上手側では、底板５ｃに突起部５５を設けずに内空間Ｑ内に底板５ｃを折り込む。突起部５５は、断面視略Ｔ字状の連結突起５６と円盤状の穴部である連結凹部５７とを有しているが、連結可能であればこの形状に限らない。
【００５９】
なお、このような底板５ａ、５ｂ、５ｃ、５０ａ、５００ａは、その形状を、平面視略三角形や平面視略半円形としても良いが、ポール支持台１２の下に敷設したときに対向する底板５と所定間隔離れる形成とすることが望ましい。これによりメッセージスタンド１の底面に開口が形成され雨水等を排出容易とすることができる。また、対向する一対の底板５ａ、５ｂ、５ｃに傾斜地などでの高さを調整する工夫がそれぞれ設けているが、底板５ａ、５ｂ、５ｃの高さを調整する工夫は、対向する下端縁２４の一方にのみに設けてもよい。このように、一方だけに設けることにより、メッセージスタンド１の製造コストを下げて安価に提供することができる。また、上述においては、地上面Ｇの傾斜面の上手側では他方の底板５ｂを交互に折曲することなくまっすぐな状態で内空間Ｑ内に折り込むようにしたが、他方の底板５ｂを１枚だけポール支持台１２の底面に敷設することで、メッセージスタンド１をポール支持台１２に安定して取付けることが可能になるため、このようにすることが望ましい。
【００６０】
〔１．４．ベルト６の構成について〕
また、底板５は、図６に示すように、ベルト６により構成することもでき、ベルト６は、中央部が幅広で帯状のベルト本体６１と、その先端部に取付けた取付金具６２とよりなり、またメッセージスタンド１の角錐状箱体２の側板２３の略中央部には、ベルトバックル６３をベルト取付部６４より吊設して、ベルト本体６１の取付金具６２と長さ調節自在で係合可能に構成している。
【００６１】
ベルト本体６１は、中央部が幅広で帯状とし、ポール支持台１２の下に底板５として、敷設する。このベルト本体６１の先端部に設けた取付金具６２は、平面視レ字状の左右一対の金具である。また、ベルトバックル６３は、正面視略四角形で、下部に取付金具６２を挿通するための取付穴部を設け、更にベルトバックル６３の左右には取外しボタン６５が設けられている。ベルト取付部６４は、対向関係にある側板２３に突設したコ字状の金具であり、一つはベルト本体６１の一端と連設しており、もう一つはベルトバックル６３を吊設する。
【００６２】
このベルト６によって、メッセージスタンド１とポール支持台１２とを固定する場合には、ベルト本体６１をメッセージスタンド１の設置位置に載置した状態で、取付けたポール１１を手に持ち、ベルトバックル６３が設けられている一側に、ポール支持台１２を傾斜させて、取付金具６２を、ベルトバックル６３の取付穴部に挿通する。このように、ベルト６をポール支持台１２の下に敷設した状態で角錐状箱体２に締着し、ポール支持台１２にメッセージスタンド１を固定する。他方、ポール支持台１２からメッセージスタンド１を取り外す際には、まず、ベルトバックル６３に設けられている左右の両取外しボタン６５を同時に押圧することにより、ベルトバックル６３と取付金具６２とを離脱させる。ベルトバックル６３と取付金具６２とを離脱した状態で、ベルトバックル６３が設けられていない側にポール支持台１２を傾斜させることにより、ベルト６をメッセージスタンド１の設置位置から取り除く。その後は、底板５を用いた場合と同様の手順でメッセージスタンド１をポール支持台１２から取り外す。
【００６３】
このように、メッセージスタンド１は、底板５を用いた場合と同様に、ベルト６をポール支持台１２の下に敷設したり、外したりすることにより、ポール支持台１２に容易に着脱されることができる。
【００６４】
〔２．第２実施形態のメッセージスタンド〕
次に、本発明の第２実施形態について図面を参照しながら説明する。この第２実施形態のメッセージスタンド１’は、複数のポール支持台１２を収容し被覆可能な連立型のメッセージスタンドである。図７は、メッセージスタンド１’の全体斜視図である。
【００６５】
メッセージスタンド１’は、図７に示すように、角錐状箱体２’の内空間Ｑ’に複数、例えば２個のポール支持台１２を収容して被覆することができる構成となっており、以下、このメッセージスタンド１’の各構成要素について説明する。なお、第１実施形態のメッセージスタンド１と同様の構成については同一符号を用いるものとする。
【００６６】
（角錐状箱体２’）
まず、ポール支持台１２を複数個収容可能な角錐状箱体２’について説明する。角錐状箱体２’は、図７に示すように、メッセージスタンド１’の本体部を構成する角錐状の横長な箱体であり、上面を平坦面とし、下面を開口としている。角錐状箱体２’は、上部の平坦面が天板２１で形成され、天板２１の各辺から斜め下方に垂設した２枚の大側板２３ａ’と、２枚の小側板２３ｂで構成されており、この天板２１’と、２枚の大側板２３ａ’と、２枚の小側板２３ｂとを一体成形することにより角錐状の箱体を形成している。かかる構成により、角錐状箱体２’は、図７に示すような、横長の内空間Ｑ’を形成し、この内空間Ｑ’は、ポール支持台１２を複数個収容することのできる断面視略台形の空間となる。
【００６７】
角錐状箱体２’の天板２１’は平面視長方形の板材であり、天板２１’左右の略中央には、ポール１１を挿通するためのポール挿通孔２２がそれぞれ穿設されている。また、角錐状箱体２’の大側板２３ａ’は正面視略横長台形とし、小側板２３ｂは正面視略台形としている。また、メッセージスタンド１と同様に、外側表面に、広告や宣伝を行う際に使用される媒体や標識等を掲示することができる。特に、大側板２３ａ’は、他の面よりも広い面積を有することから、広告や宣伝または標識を掲示した際には、目立つこととなり、その結果、広告や宣伝または標識の視認性が格段に向上する。また、メッセージスタンド１と比べ天板２１’が大きくなることから、この部分にも広告や宣伝または標識を掲示することが可能となる。
【００６８】
（底板５）
次に、底板５について説明する。底板５は、メッセージスタンド１’の本体部である角錐状箱体２’を構成する大側板２３ａ’の左右の各下端縁２４に、それぞれ対向するように連設された板材であり、下端縁２４を中心に折曲自在となるように連設されている。
【００６９】
ここでは、図７に示すように、底板５は、大側板２３ａ’の各下端縁２４に、それぞれ対向するように二組の底板５として連設されている。なお、底板５の形状は、第１実施形態と同様に、平面視略四角形とするが、平面視略三角形や平面視略半円形としても良いし、メッセージスタンド１の高さ調整を可能とした底板５ａ、５ｂ、５ｃ、５０ａ、５００ａの構成としても良いし、底板５の代わりにベルト６を用いても良い。
【００７０】
また、底板５は各下端縁２４にてそれぞれ独立して折曲自在に形成されているが、図７に示すように、対向関係ではなく隣同士の関係にある底板５を連結部材５ｄによって連動連結させることにより、隣り合った各底板５を一体的に折曲させることができる。連結部材５ｄは、平面視長方形の細長板状の部材であり、その厚さは底板５と同様であり、連結手段、例えば接着剤やネジなどによって底板５に連結される。なお、連結部材５ｄは、底板５と同一材料で一体的に成形するようにしてもよい。また、連結部材５ｄは隣り合った各底板５を一体的に折曲させることができる程度の大きさでよく、例えば、下端縁２４から先端までの長さを底板５の１／２〜１／３にすることで、連結部材５ｄの荷重を低減して底板５の折曲を容易にできる。
【００７１】
このメッセージスタンド１’をポール支持台１２に被覆する場合、メッセージスタンド１’と内空間Ｑ’に収容された２個のポール支持台１２とを一体的に傾斜させる際に、２個のポール支持台１２に取付けたポール１１を両手で持つことで、メッセージスタンド１’を捩ることなく、メッセージスタンド１’の長手方向の平行を保持して、確実に一体的に傾斜させることができる。さらに、隣り合った各底板５は、連結部材５ｄを用いて一体的に折曲することから、メッセージスタンド１’をポール支持台１２に被覆したり、メッセージスタンド１’をポール支持台１２から離脱したりすることが容易にできる。
【００７２】
〔３．第３実施形態のメッセージスタンド〕
以下に、本発明の第３実施形態のメッセージスタンド１”について図面を参照しながら説明する。第３実施形態のメッセージスタンド１”は、上述したメッセージスタンド１,１’に水タンク８を配した点で異なり、他の構成は同様であることからここでは異なる部分のみ説明することとする。なお、メッセージスタンド１,１’と同様の構成については同一符号を付すものとする。図８は水タンクを有したメッセージスタンド１”の全体斜視図であり、図９は可撓性の水タンクを有したメッセージスタンド１”の断面側面図である。
【００７３】
本発明の第３実施形態に係るメッセージスタンド１”は、図８に示すように、角錐状箱体２”の内上部に一体的に収納した水タンク８と、天板２１”から水タンク８にかけて穿設した注水口８１と、注水口８１を閉塞するキャップ８２と、角錐状箱体２”の外形を構成する側板２３の下端縁２４に下端縁２４を中心として折曲自在に設けられた対向関係にある底板５とより構成されている。
【００７４】
角錐状箱体２”の構成要素である天板２１”は、その形状が平面視四角形の板材であり、天板２１”の略中央には、ポール１１を挿通するためのポール挿通孔２２が穿設されており、また、注水口８１が、天板２１”の略中央を除く位置に穿設されている。
【００７５】
注水口８１は、天板２１”の略中央を除く位置、例えば、平面視四角形の天板２１”において、右側よりに雌ねじを有して穿設されている。キャップ８２は、注水口８１を閉塞するため雄ねじを形成した栓である。なお、注水口８１には雌ねじが、キャップ８２には雄ねじが螺刻されているが、キャップ８２を注水口８１に嵌着して注水口８１を閉塞しても良い。
【００７６】
水タンク８は、合成樹脂などで形成されており、その形状は、図８に示すように、角錐状箱体２の内上部の形状に合わせた上部平坦な角錐状であり、その略中央にはポール１１を挿通するための円柱又は角柱状の空間Ｐが形成されており、ドーナツ状に形成される。
【００７７】
このメッセージスタンド１”はポール支持台１２に覆設した後で、注水口８１に取付けられたキャップ８２を外し、水を充填し、キャップ８２で再度、注水口８１を閉塞することによって、ポール支持台１２の重量に加えて更なる重量化を図ることができる。また、メッセージスタンド１をポール支持台１２から取り外す際には、適宜、注水口８１に取付けられたキャップ８２を外し、排水する。
【００７８】
このように、角錐状箱体２”の内部に、水タンク８を設けたことから、その水タンク８に注水することにより、ポール支持台の重量に加えて、更にメッセージスタンド１を重量化することができ、風圧などによる転倒を防止してメッセージスタンド１”を安定して設置することができる。また、折曲自在に設けられた対向関係にある底板５を、順番に折曲させて、ポール支持台１２の下に敷いたり、外したりすることにより、ポール支持台１２に容易に被覆することができる。
【００７９】
また、図９に示すように、水タンク８に更に可撓性材料で形成された第２の水タンク８３を連通連設するようにしてもよい。この第２の水タンク８３は、厚手の合成樹脂製でかつ変形自在な袋体で構成され、水タンク８に注水することにより第２の水タンク８３に注水され、ポール支持台の重量に加えて、更にメッセージスタンド１”の重量を重くすることができる。しかも、水タンク８に注入された水が第２の水タンク８３によりポール支持台１２の周囲にまで充填されることから、メッセージスタンド１”の重心位置が低くなり、メッセージスタンド１”をより安定させることができる。
【００８０】
また、図９に示すように、対面する下端縁２４位置より２つの第２の水タンク８３，８３を突出可能とし、底板５，５に代えて用いるようにしてもよい。第２の水タンク８３は、下端縁２４位置から底板５と同等の長さ突出可能としており、側面視四角形の袋体の水タンクである。この第２の水タンク８３を設けることで、メッセージスタンド１”を傾斜地に設置する場合であっても、平行に設置することができる。
【００８１】
例えば、ポール支持台１２の底面に一対の第２の水タンク８３，８３を敷設し、その後、注水口８１に取付けられたキャップ８２を外し、注水口８１にから水タンク８及び第２の水タンク８３，８３に水を充填する。その後、メッセージスタンド１”を傾斜させて、高さ位置を調整し、この状態でさらに注水口８１から注水し、満水になったときにキャップ８２で注水口８１を閉塞する。なお、このとき、図９に示すように、第２の水タンク８３が折り曲がってポール支持台１２に敷設されるために、第２の水タンク８３から水タンク８への逆流が防止されるが、各第２の水タンク８３にそれぞれ分離した水タンク８を設けることにより、より確実に逆流を防止することができる。
【００８２】
以上、本発明の好ましい実施形態について説明したが、本発明は係る特定の実施形態に限定されるものではなく、特許請求の範囲に記載された本発明の要旨の範囲内において、種々の変形・変更が可能である。
【図面の簡単な説明】
【００８３】
【図１】本発明の第１実施形態にかかるメッセージスタンドの全体斜視図である。
【図２】本発明の第１実施形態にかかるメッセージスタンドの底板の説明図である。
【図３】本発明の第１実施形態にかかるメッセージスタンドの底板の説明図である。
【図４】本発明の第１実施形態にかかるメッセージスタンドの底板の説明図である。
【図５】本発明の第１実施形態にかかるメッセージスタンドの底板の説明図である。
【図６】本発明の第１実施形態にかかる底板の代わりにベルトを用いた場合のメッセージスタンドの説明図である。
【図７】本発明の第２実施形態にかかるメッセージスタンドの全体斜視図である。
【図８】本発明の第３実施形態にかかる水タンクを有したメッセージスタンドの全体斜視図。
【図９】本発明の第３実施形態にかかる可撓性の水タンクを有したメッセージスタンドの断面側面図である。
【図１０】底板５ａに関する他の形態の説明図。
【符号の説明】
【００８４】
１，１’，１”  メッセージスタンド
２，２’，２”  角錐状箱体
５，５ａ，５ｂ，５ｃ，５０ａ，５００ａ  底板
５ｄ  連結部材
８    水タンク
１１  ポール
１２  ポール支持台
２１，２１’，２１”  天板
２２  ポール挿通孔
８３  第２の水タンク
Ｐ  空間
Ｑ，Ｑ’  内空間
【図１】
2010134339.tif 000003
【図２】
2010134339.tif 000004
【図３】
2010134339.tif 000005
【図４】
2010134339.tif 000006
【図５】
2010134339.tif 000007
【図６】
2010134339.tif 000008
【図７】
2010134339.tif 000009
【図８】
2010134339.tif 000010
【図９】
2010134339.tif 000011
【図１０】
2010134339.tif 000012
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
各種ポールを立設するポール支持台表面に被覆自在に取付けられる角錐台状箱体のメッセージスタンドであって、
上面を平坦面とし、下面を開口した角錐台状箱体と、
前記平坦面を構成する天板に穿設されたポール挿通孔と、
前記ポール支持台の下に敷設する底板と、を備え、
前記底板は、前記角錐台状箱体の外形を構成する側板の互いに対向関係にある下端縁に、各下端縁を中心として折曲自在に設けられていることを特徴とするメッセージスタンド。
【請求項２】
請求項１に記載のメッセージスタンドにおいて、
前記底板を、前記各下端縁に複数設けたことを特徴とするメッセージスタンド。
【請求項３】
請求項１に記載のメッセージスタンドにおいて、
前記底板を折り畳み可能に設けたことを特徴とするメッセージスタンド。
【請求項４】
請求項１に記載のメッセージスタンドにおいて、
前記底板に、突起部を取付可能としたことを特徴とするメッセージスタンド。
【請求項５】
請求項１乃至４のいずれか１つに記載のメッセージスタンドにおいて、
前記角錐台状箱体の内部に、水タンクを設けたことを特徴とするメッセージスタンド。
【請求項６】
請求項５に記載のメッセージスタンドにおいて、
前記水タンクは、可撓性材料で形成したことを特徴とするメッセージスタンド。
【手続補正２】
【補正対象書類名】明細書
【補正対象項目名】０００１
【補正方法】変更
【補正の内容】
【０００１】
本発明は、店先、会社先等で使用される各種ポールを立設するポール支持台に被覆自在に取付けられる角錐台状箱体の広告媒体であるメッセージスタンドに関する。
【手続補正３】
【補正対象書類名】明細書
【補正対象項目名】０００７
【補正方法】変更
【補正の内容】
【０００７】
そこで、請求項１に係る本発明では、各種ポールを立設するポール支持台表面に被覆自在に取付けられる角錐台状箱体のメッセージスタンドであって、上面を平坦面とし、下面を開口した角錐台状箱体と、平坦面を構成する天板に穿設されたポール挿通孔と、前記ポール支持台の下に敷設する底板と、を備え、前記底板は、前記角錐台状箱体の外形を構成する側板の互いに対向関係にある下端縁に、各下端縁を中心として折曲自在に設けられていることを特徴とする。
【手続補正４】
【補正対象書類名】明細書
【補正対象項目名】００１１
【補正方法】変更
【補正の内容】
【００１１】
また、請求項５に係る本発明では、請求項１乃至４のいずれか１つに記載のメッセージスタンドにおいて、角錐台状箱体の内部に、水タンクを設けたことを特徴とする。
【手続補正５】
【補正対象書類名】明細書
【補正対象項目名】００１３
【補正方法】変更
【補正の内容】
【００１３】
請求項１記載の本発明によれば、メッセージスタンドは、上面を平坦面とし、下面を開口した角錐台状箱体と、平坦面を構成する天板に穿設されたポール挿通孔と、前記ポール支持台の下に敷設する底板と、を備え、前記底板は、前記角錐台状箱体の外形を構成する側板の互いに対向関係にある下端縁に、各下端縁を中心として折曲自在に設けられているので、既存のポール支持台を重しとして用いることができ、風圧などによりメッセージスタンドが転倒することを防止してメッセージスタンドを安定して設置することができる。しかもメッセージスタンドに折曲自在に設けられた対向関係にある底板を、順番に折曲させて、ポール支持台の下に敷いたり、外したりすることにより、その着脱を極めて容易に行うことができる。
【手続補正６】
【補正対象書類名】明細書
【補正対象項目名】００１７
【補正方法】変更
【補正の内容】
【００１７】
請求項５記載の本発明によれば、請求項１乃至４のいずれか１つに記載のメッセージスタンドにおいて、角錐台状箱体の内部に、水タンクを設けたことから、その水タンクに注水することにより、ポール支持台の重量に加えて、更にメッセージスタンドの重量を重くすることができ、メッセージスタンドを安定して設置することができる。
【手続補正７】
【補正対象書類名】明細書
【補正対象項目名】００２１
【補正方法】変更
【補正の内容】
【００２１】
このメッセージスタンド１は、図１と図２に示すように、上面を平坦面とし、下面を開口した角錐台状箱体２と、平坦面を構成する天板２１に穿設されたポール挿通孔２２と、角錐台状箱体２の側面を構成する側板２３の下端縁２４に、下端縁２４を中心として折曲自在に設けられた対向関係にある一対の底板５とより構成されており、ポール支持台１２を被膜し、その後一対の底板５を順番に折曲させてポール支持台１２の下に敷くことでてポール支持台１２に取付け可能としている。
【手続補正８】
【補正対象書類名】明細書
【補正対象項目名】００２４
【補正方法】変更
【補正の内容】
【００２４】
また、ポール支持台１２は、図１と図２に示すように、市販のコンクリートで製造されたポール支持台を用いる。このポール支持台１２は、角錐台状で、その上部が平坦な断面視略台形のブロックにパイプ１３を貫通した構成を有しており、一般に広く用いられているものである。また、市販されているポール支持台には、注水式のポール支持台や鉄製のポール支持台などもあり、これらを用いることも可能である。
【手続補正９】
【補正対象書類名】明細書
【補正対象項目名】００２９
【補正方法】変更
【補正の内容】
【００２９】
まず、メッセージスタンド１の側板２３の下端縁２４に折曲げ自在に設けられた底板５を角錐台状箱体２の外方に折曲した展開状態で、下方の開口部からメッセージスタンド１をポール支持台１２上に被覆する（図２（ａ）参照）。
【手続補正１０】
【補正対象書類名】明細書
【補正対象項目名】００３１
【補正方法】変更
【補正の内容】
【００３１】
次に、ポール支持台１２に取付けたポール１１を手で把持してポール支持台１２を側方に傾けると、下部の角錐台状箱体２もポール支持台１２と共に傾き、その側板２３に連設された底板５は、自重により下方に折曲垂下して地上面Ｇとポール支持台１２との間に介在することになる。この状態で、ポール支持台１２を地上面Ｇに載置すると、垂下した底板５は内方へ折曲されて、ポール支持台１２底面と地上面Ｇとの間に敷設された状態となる。なお、自重により下方に折曲垂下しない底板５を用いる場合には、下端縁２４を中心に底板を手で折り曲げてから地上面Ｇとポール支持台１２との間に介在させる。
【手続補正１１】
【補正対象書類名】明細書
【補正対象項目名】００３２
【補正方法】変更
【補正の内容】
【００３２】
他方、対向側の底板５についても、ポール支持台１２を上記と反対側に傾動して底板５を地上面Ｇとの間で折曲垂下状態とし、そのままポール支持台１２をもとに戻して地上面Ｇに載置する動作をすれば、対向位置の底板５もポール支持台１２底面と地上面Ｇとの間に敷設された状態となり、特にポール支持台１２を地上面Ｇより持上げて底板５を内側へ折曲操作をする必要もなく、単にポール支持台１２及びそれに被覆した角錐台状箱体２を一方に地上面Ｇで傾動するのみで底板５の折曲敷設作業が行える。
【手続補正１２】
【補正対象書類名】明細書
【補正対象項目名】００３６
【補正方法】変更
【補正の内容】
【００３６】
〔１．３．１．角錐台状箱体２〕
まず、角錐台状箱体２について説明する。角錐台状箱体２は、メッセージスタンド１の本体部を構成する角錐台状の箱体であり、上部の平坦面が天板２１で形成され、天板２１の各辺から斜め下方に立設した４つの側板２３で構成されており、この天板２１と、４つの側板２３とが一体成形されていることにより角錐台状の箱体を形成している。
【手続補正１３】
【補正対象書類名】明細書
【補正対象項目名】００３７
【補正方法】変更
【補正の内容】
【００３７】
かかる構成により、角錐台状箱体２は、図１と図２に示すように、内部に断面視略台形の内空間Ｑを形成し、ポール支持台１２を収容可能としている。また、内空間Ｑの形状を角錐台状とすることで、市販のコンクリート製のポール支持台１２と同様の形状とし、その装着を容易にすることができ、しかも、ポール支持台１２を角錐台状箱体２内に収納したときにポール支持台１２と角錐台状箱体２との位置関係を規制することができ、ポール支持台１２を安定して角錐台状箱体２内に収納できる。
【手続補正１４】
【補正対象書類名】明細書
【補正対象項目名】００３８
【補正方法】変更
【補正の内容】
【００３８】
角錐台状箱体２の天板２１は、その形状が平面視四角形の板材であり、天板２１の略中央には、ポール１１を挿通するためのポール挿通孔２２が穿設されている。このポール挿通孔２２は、ポール１１を挿通するための孔部であり、その形状は、挿通するポール１１の断面形状にもよるが、円形や四角形である。なお、パイプ１３の外径よりもポール挿通孔２２を大きくしており、これにより、パイプ１３が長い場合であっても、メッセージスタンド１をポール支持台１２に被覆（装着）可能としている。
【手続補正１５】
【補正対象書類名】明細書
【補正対象項目名】００３９
【補正方法】変更
【補正の内容】
【００３９】
角錐台状箱体２の側板２３は、角錐台状箱体２の側面を構成する板材であり、その形状は、正面視略台形で、傾斜状に形成されており、四側面を４枚の側板２３により構成すると全体が角錐台状となる。なお、本実施形態においては、四角錐台状としているが、六角錐台状、八角錐台状などとすることもできる。
【手続補正１６】
【補正対象書類名】明細書
【補正対象項目名】００４０
【補正方法】変更
【補正の内容】
【００４０】
角錐台状箱体２は、上記のように、天板２１や側板２３を組み合わせて形成することもできるが、金型を用いて天板２１と側板２３とを一体成形することにより形成することにより製造コストを低減することができる。なお、角錐台状箱体２の材質は、例えば、アクリロニトリルブタジエンスチレン共重合合成樹脂（ＡＢＳ樹脂）やポリプロピレン樹脂（ＰＰ樹脂）などの合成樹脂を用いることができるし、例えば、アルミやステンレスなどの金属を用いることもできる。
【手続補正１７】
【補正対象書類名】明細書
【補正対象項目名】００４１
【補正方法】変更
【補正の内容】
【００４１】
〔１．３．２．底板５の形状について〕
次に、底板５について説明する。底板５は、メッセージスタンド１の本体部である角錐台状箱体２の一対の側板２３の各下端縁２４にそれぞれ連設されており、下端縁２４の連設縁部を中心に折曲自在としている。
【手続補正１８】
【補正対象書類名】明細書
【補正対象項目名】００４４
【補正方法】変更
【補正の内容】
【００４４】
また、底板５の種類には、メッセージスタンド１の設置する場所の傾斜にかかわらず、まっすぐ平行に設置するための工夫が施された底板を用いることもできる。以下、図３〜図６，図１０を参照して、角錐台状箱体２を構成する側板２３の下端縁２４に、下端縁２４を中心として折曲自在に設けられる様々な種類の底板５ａ、底板５０ａ、５００ａ、底板５ｂ、底板５ｃについて、図面を参照しながらそれぞれ説明する。
【手続補正１９】
【補正対象書類名】明細書
【補正対象項目名】００４８
【補正方法】変更
【補正の内容】
【００４８】
底板５０ａ，５００ａは、図１０（ａ）や図１０（ｂ）に示すように、平面視略四角形で断面視長方形状の本体部と、本体部から肉薄に延在させたヒンジ部とから構成されており、側板２３の下端縁２４近傍に凹状に形成された差込溝部２４ａにヒンジ部先端を嵌着固定することにより、折曲自在に取付けられる。なお、差込溝部２４ａは、内空間Ｑ側や角錐台状箱体２の外側に形成することもできるが、側板２３の下端縁２４において下方開口状に形成することが望ましい。
【手続補正２０】
【補正対象書類名】明細書
【補正対象項目名】００６０
【補正方法】変更
【補正の内容】
【００６０】
〔１．４．ベルト６の構成について〕
また、底板５は、図６に示すように、ベルト６により構成することもでき、ベルト６は、中央部が幅広で帯状のベルト本体６１と、その先端部に取付けた取付金具６２とよりなり、またメッセージスタンド１の角錐台状箱体２の側板２３の略中央部には、ベルトバックル６３をベルト取付部６４より吊設して、ベルト本体６１の取付金具６２と長さ調節自在で係合可能に構成している。
【手続補正２１】
【補正対象書類名】明細書
【補正対象項目名】００６２
【補正方法】変更
【補正の内容】
【００６２】
このベルト６によって、メッセージスタンド１とポール支持台１２とを固定する場合には、ベルト本体６１をメッセージスタンド１の設置位置に載置した状態で、取付けたポール１１を手に持ち、ベルトバックル６３が設けられている一側に、ポール支持台１２を傾斜させて、取付金具６２を、ベルトバックル６３の取付穴部に挿通する。このように、ベルト６をポール支持台１２の下に敷設した状態で角錐台状箱体２に締着し、ポール支持台１２にメッセージスタンド１を固定する。他方、ポール支持台１２からメッセージスタンド１を取り外す際には、まず、ベルトバックル６３に設けられている左右の両取外しボタン６５を同時に押圧することにより、ベルトバックル６３と取付金具６２とを離脱させる。ベルトバックル６３と取付金具６２とを離脱した状態で、ベルトバックル６３が設けられていない側にポール支持台１２を傾斜させることにより、ベルト６をメッセージスタンド１の設置位置から取り除く。その後は、底板５を用いた場合と同様の手順でメッセージスタンド１をポール支持台１２から取り外す。
【手続補正２２】
【補正対象書類名】明細書
【補正対象項目名】００６５
【補正方法】変更
【補正の内容】
【００６５】
メッセージスタンド１’は、図７に示すように、角錐台状箱体２’の内空間Ｑ’に複数、例えば２個のポール支持台１２を収容して被覆することができる構成となっており、以下、このメッセージスタンド１’の各構成要素について説明する。なお、第１実施形態のメッセージスタンド１と同様の構成については同一符号を用いるものとする。
【手続補正２３】
【補正対象書類名】明細書
【補正対象項目名】００６６
【補正方法】変更
【補正の内容】
【００６６】
（角錐台状箱体２’）
まず、ポール支持台１２を複数個収容可能な角錐台状箱体２’について説明する。角錐台状箱体２’は、図７に示すように、メッセージスタンド１’の本体部を構成する角錐台状の横長な箱体であり、上面を平坦面とし、下面を開口としている。角錐台状箱体２’は、上部の平坦面が天板２１で形成され、天板２１の各辺から斜め下方に垂設した２枚の大側板２３ａ’と、２枚の小側板２３ｂで構成されており、この天板２１’と、２枚の大側板２３ａ’と、２枚の小側板２３ｂとを一体成形することにより角錐台状の箱体を形成している。かかる構成により、角錐台状箱体２’は、図７に示すような、横長の内空間Ｑ’を形成し、この内空間Ｑ’は、ポール支持台１２を複数個収容することのできる断面視略台形の空間となる。
【手続補正２４】
【補正対象書類名】明細書
【補正対象項目名】００６７
【補正方法】変更
【補正の内容】
【００６７】
角錐台状箱体２’の天板２１’は平面視長方形の板材であり、天板２１’左右の略中央には、ポール１１を挿通するためのポール挿通孔２２がそれぞれ穿設されている。また、角錐状箱体２’の大側板２３ａ’は正面視略横長台形とし、小側板２３ｂは正面視略台形としている。また、メッセージスタンド１と同様に、外側表面に、広告や宣伝を行う際に使用される媒体や標識等を掲示することができる。特に、大側板２３ａ’は、他の面よりも広い面積を有することから、広告や宣伝または標識を掲示した際には、目立つこととなり、その結果、広告や宣伝または標識の視認性が格段に向上する。また、メッセージスタンド１と比べ天板２１’が大きくなることから、この部分にも広告や宣伝または標識を掲示することが可能となる。
【手続補正２５】
【補正対象書類名】明細書
【補正対象項目名】００７３
【補正方法】変更
【補正の内容】
【００７３】
本発明の第３実施形態に係るメッセージスタンド１”は、図８に示すように、角錐台状箱体２”の内上部に一体的に収納した水タンク８と、天板２１”から水タンク８にかけて穿設した注水口８１と、注水口８１を閉塞するキャップ８２と、角錐台状箱体２”の外形を構成する側板２３の下端縁２４に下端縁２４を中心として折曲自在に設けられた対向関係にある底板５とより構成されている。
【手続補正２６】
【補正対象書類名】明細書
【補正対象項目名】００７４
【補正方法】変更
【補正の内容】
【００７４】
角錐台状箱体２”の構成要素である天板２１”は、その形状が平面視四角形の板材であり、天板２１”の略中央には、ポール１１を挿通するためのポール挿通孔２２が穿設されており、また、注水口８１が、天板２１”の略中央を除く位置に穿設されている。
【手続補正２７】
【補正対象書類名】明細書
【補正対象項目名】００７６
【補正方法】変更
【補正の内容】
【００７６】
水タンク８は、合成樹脂などで形成されており、その形状は、図８に示すように、角錐台状箱体２の内上部の形状に合わせた上部平坦な角錐台状であり、その略中央にはポール１１を挿通するための円柱又は角柱状の空間Ｐが形成されており、ドーナツ状に形成される。
【手続補正２８】
【補正対象書類名】明細書
【補正対象項目名】００７８
【補正方法】変更
【補正の内容】
【００７８】
このように、角錐台状箱体２”の内部に、水タンク８を設けたことから、その水タンク８に注水することにより、ポール支持台の重量に加えて、更にメッセージスタンド１を重量化することができ、風圧などによる転倒を防止してメッセージスタンド１”を安定して設置することができる。また、折曲自在に設けられた対向関係にある底板５を、順番に折曲させて、ポール支持台１２の下に敷いたり、外したりすることにより、ポール支持台１２に容易に被覆することができる。
【手続補正２９】
【補正対象書類名】明細書
【補正対象項目名】００８４
【補正方法】変更
【補正の内容】
【００８４】
１，１’，１”  メッセージスタンド
２，２’，２”  角錐台状箱体
５，５ａ，５ｂ，５ｃ，５０ａ，５００ａ  底板
５ｄ  連結部材
８    水タンク
１１  ポール
１２  ポール支持台
２１，２１’，２１”  天板
２２  ポール挿通孔
８３  第２の水タンク
Ｐ  空間
Ｑ，Ｑ’  内空間